(57)【要約】【課題】    オンスクリーン表示部分の輪郭が過度に強調されることを回避し、自然な輪郭強調を行うことのできる光ディスク再生装置を提供する。【解決手段】  光ディスクから映像信号を読み出すデジタル映像信号読み出し手段９と、再生装置の動作状態を文字あるいは図形を用いて再生装置の表示画面に表示するオンスクリーン表示信号発生手段１３と、前記読み出し手段が読み出したデジタル映像信号及びオンスクリーン表示信号生成手段が生成したオンスクリーン表示信号の合成信号に輪郭強調信号を付加する輪郭強調回路１１と、再生装置全体を制御する制御部１４を備え、該制御部１４は、前記オンスクリーン表示信号生成手段がオンスクリーン表示信号を生成している期間、輪郭強調回路の出力を加算制御回路１１ｄにより所定レベル以下に制限する。【選択図】  図２
2006222541.tif 000002
【特許請求の範囲】
【請求項１】
光ディスクから映像信号を読み出す映像信号読み出し手段と、
再生装置の動作状態を文字あるいは図形を用いて再生装置の表示画面に表示するオンスクリーン表示信号を発生するオンスクリーン表示信号発生手段と、
前記映像信号読み出し手段が読み出した映像信号及びオンスクリーン表示信号発生手段が発生したオンスクリーン表示信号の合成信号に輪郭強調信号を付加する輪郭強調回路と、
再生装置全体を制御する制御部を備え、
該制御部は、前記オンスクリーン表示信号発生手段がオンスクリーン表示信号を発生している期間、前記輪郭強調回路の出力を所定レベル以下に制限することを特徴とする光ディスク再生装置。
【請求項２】
請求項１記載の光ディスク再生装置において、
前記制御部は、輪郭強調回路の出力を制限するレベルを可変制御するレベル可変制御部を備えたことを特徴とする光ディスク再生装置。
【請求項３】
請求項１記載の光ディスク再生装置において、
前記輪郭強調回路の出力を所定レベル以下に制限する範囲は、前記オンスクリーン表示信号発生手段がオンスクリーン表示信号を発生している範囲とその近傍の範囲であることを特徴とする光ディスク再生装置。
【発明の詳細な説明】
【技術分野】
【０００１】
本発明は、光ディスク再生装置に係り、特に光ディスクから読み出した映像信号に輪郭強調を施すことのできる光ディスク再生装置に関する。
【背景技術】
【０００２】
従来、光ディスク再生装置では「ＰＬＡＹ」や「ＳＴＯＰ」など、再生装置の動作状態を表す表示や、リモコン操作を行ったことがわかる表示を、文字や記号、図形などを用いて表示装置の画面上に分かり易く表示するオンスクリーン表示（ＯＳＤ；On Screen Display）が行われている。オンスクリーン表示によって示する表示内容は、通常、光ディスクから読み出した映像信号との関連性が全くない。
【０００３】
このため、輪郭強調回路を用いて、輪郭部が不鮮明（ぼけている）な映像信号の輪郭部分の補正を行って画質を改善している場合には、通常の映像信号による表示とオンスクリーン表示信号による表示の境界部分に対して、水平及び垂直の輪郭強調を強く行うことになる。このため、オンスクリーン表示部周辺が過度に輪郭強調され、使用者にとって見苦しい映像となる。
【０００４】
なお、使用者が再生装置の映像出力を好みの画質に調整するための設定を行うためには、リモコンなどを用いて調整項目やその調整レベルなどをオンスクリーン表示によって確認し、更に、表示装置の映像出力を視聴してその調整効果を見ながら調整する必要があるため、オンスクリーン表示周辺に過度の輪郭強調がなされることは、画質調整の妨げになる。
【０００５】
図４は、従来の光ディスク再生装置の映像出力回路を説明する図である。図４において、光ディスクは光ディスク再生装置に装填されたＤＶＤ(Digital Versatile Disc)などの映像信号を記録した光ディスクであり、ＭＰＥＧ（Moving Picture Experts Group）ビデオデコーダ９はＤＶＤから読み出されたデータからメインピクチャビットストリームを分離し、復号化してデジタル映像信号を出力する。
【０００６】
オンスクリーン表示信号発生回路１３は、再生装置の動作状態やリモコンによる操作内容を画面表示するための文字や記号、図形などの映像信号を発生する回路であり、制御部１４によって、その表示内容の選択や表示位置と表示するタイミングの指定がなされる。加算器１０は上記映像信号とオンスクリーン表示信号を加算して、映像出力を行う。
【０００７】
輪郭強調回路１１は、水平輪郭強調回路１１ａ、垂直輪郭強調回路１１ｂ、加算器１１ｃから構成される。
【０００８】
輪郭強調回路１１は、ＭＰＥＧビデオデコーダ９からの映像信号、または加算器１０によってオンスクリーン表示信号が加算された映像信号を入力する。さらに輪郭強調回路１１は、入力された映像信号における輝度信号、色差信号のそれぞれについて、水平方向及び垂直方向における変化の大きな箇所を強調するための信号を、水平輪郭強調回路１１ａ及び垂直輪郭強調回路１１ｂで生成する。生成された信号は加算器１１ｃによって元の映像信号に加算して輪郭強調を実現する。        
このような輪郭強調回路を用いて画質を改善する場合、前述の通り、オンスクリーン表示が表示されると、映像信号と、この映像信号と関連性のないオンスクリーン表示部の境界部を輪郭部分と判断してしまうため、オンスクリーン表示の周辺に不自然な輪郭強調がなされてしまうことになる。
【０００９】
不自然な輪郭強調を除去する技術として、特許文献１が知られている。この文献に示される映像信号処理回路では、ハイビジョン受信機やワイドテレビ受信機等の高アスペクト比の受信機を用いて従来の低アスペクト比の映像信号を表示する場合に、水平の映像信号の開始部分と終了部分に発生する見苦しい輪郭強調信号を除去する方法が開示されている。
【特許文献１】特開平６−２２２４２号公報
【発明の開示】
【発明が解決しようとする課題】
【００１０】
前記従来技術は、画面の両端部から一定の固定した箇所においてのみ、不要な輪郭強調信号を除去することのできる手段であり、汎用性に欠ける。すなわち、オンスクリーン表示の表示内容は文字、記号、図形などのひとつ、またはそれらの組み合わせに構成される。このため、表示位置や表示範囲は一定しない。また、オンスクリーン表示は必要な時にだけ表示を行い、常時表示するものではない。このため、表示画面上の一定の場所を輪郭強調の対象から外すことは不自然であり、かえって使用者に違和感を与えることになる。
【００１１】
本発明はこれらの問題点に鑑みてなされたもので、光ディスクから読み出した映像信号に対して輪郭強調を行う際に、機器の状態を示す表示やリモコンによる繰作を示す表示などのオンスクリーン表示があった場合に、オンスクリーン表示部分の輪郭が過度に強調されることを回避し、自然な輪郭強調を行うことのできる光ディスク再生装置を提供するものである。
【課題を解決するための手段】
【００１２】
本発明は上記課題を解決するため、次のような手段を採用した。
【００１３】
光ディスクから映像信号を読み出す映像信号読み出し手段と、再生装置の動作状態を文字あるいは図形を用いて装置の表示画面に表示するオンスクリーン表示信号を発生するオンスクリーン表示信号発生手段と、前記映像信号読み出し手段が読み出した映像信号及びオンスクリーン表示信号発生手段が発生したオンスクリーン表示信号の合成信号に輪郭強調信号を付加する輪郭強調回路と、再生装置全体を制御する制御部を備え、該制御部は、前記オンスクリーン表示信号発生手段がオンスクリーン表示信号を発生している期間、前記輪郭強調回路の出力を所定レベル以下に制限する。
【発明の効果】
【００１４】
本発明は、以上の構成を備えるため、光ディスクから読み出した映像信号に対して輪郭強調を行う際に、機器の状態を示す表示やリモコンによる繰作を示す表示などのオンスクリーン表示があった場合に、オンスクリーン表示部分の輪郭が過度に強調されることを回避し、自然な輪郭強調を行うことができる。
【発明を実施するための最良の形態】
【００１５】
以下、最良の実施形態を添付図面を参照しながら説明する。図１は、光ディスク再生装置の構成を説明する図である。図１に示すようにスピンドルモータ２に固定されたターンテーブル１は、ＤＶＤ等の光ディスクを保持する。操作部１５から再生開始の指示があると、サーボ制御部３は、スピンドルモータ２を所定の線速度で回転駆動する。また、サーボ制御部３は、図示しないフォーカスサーボ回路とトラッキングサーボ回路を制御して、光ピックアップ４からのレーザ光を光ディスクのピット列に正しくトレースさせる。
【００１６】
光ピックアップ４が読み取った信号は、ＲＦ(Radio Frequency)アンプ５により波形整形及び増幅されて信号処理部６に入力される。信号処理部６は、入力された信号からＭＰＥＧデータ等を復調するとともに、誤り訂正処理、ＭＰＥＧビデオデータとオーディオデータとの分離処理及びアドレス情報の抽出処理等のデジタル信号処理を行う。
【００１７】
オーディオデコーダ７は、信号処理部６から入力されたオーディオデータをデコードし、デコードされたオーディオデータは、デジタルアナログ変換器（ＤＡＣ）８によりアナログオーディオ信号に変換して外部に出力する。
【００１８】
ＭＰＥＧビデオデコーダ９は、信号処理部６から入力されたＭＰＥＧビデオデータをデコードする。加算器１０は、ＭＰＥＧビデオデコーダ９によりデコードされたビデオデータとオンスクリーン表示信号発生部１３により発生された文字や図形等のオンスクリーン表示信号とを加算する。オンスクリーン表示信号が加算されたビデオデータは、輪郭強調回路１１により輪郭強調処理を施し、更にデジタルアナログ変換器（ＤＡＣ）１２を介して輝度信号Ｙおよび色差信号Ｃｂ、Ｃｒを含むアナログビデオ信号に変換する。
【００１９】
オンスクリーン表示信号発生部１３は、制御部１４の制御により、装置の動作状態や操作部１５の操作指示を示す文字や図形等のオンスクリーン表示信号を発生する。
【００２０】
制御部１４は、サーボ制御部３、信号処理部６、輪郭強調回路１１、オンスクリーン表示信号発生部１３、表示部１６等を制御する。また、操作部１５は、再生ボタン、再生停止ボタン、早送りボタン、早戻しボタン、イジェクトボタンを備える。また、表示部１６は、現在再生しているトラックの再生時間、トラックナンバー等を表示する。
【００２１】
図２は、輪郭強調回路１１の詳細を説明する図である。図２に示すように、輪郭強調回路１１は、水平輪郭強調回路１１ａ、垂直輪郭強調回路１１ｂ、水平輪郭強調回路及び垂直輪郭強調回路の出力を加算して所定の係数（ｋ）を積算して出力する加算制御部、及び加算部出力を元のビデオデータに加算する加算器１１ｃを備える。
【００２２】
図２において、光ディスクは、前述したように光ディスク再生装置に装填されたＤＶＤなどの映像信号を記録した光ディスクであり、ＭＰＥＧビデオデコーダ９はＤＶＤから読み出されたデータからメインピクチャビットストリームを分離し、復号化してデジタル映像信号を出力する。
【００２３】
オンスクリーン表示信号発生回路１３は、機器の動作状態やリモコンによる操作内容を画面表示するための文字や記号、図形などのオンスクリーン表示を発生する回路であり、制御部１４によって、その表示内容の選択や表示位置と表示するタイミングの指定がなされる。加算器１０は上記映像信号とオンスクリーン表示信号を加算してビデオデータを生成する。
【００２４】
水平輪郭強調回路１１ａ及び垂直輪郭強調回路１１ｂは、それぞれ前記ビデオデータ（輝度信号、あるいは輝度信号及び色差信号）について、水平方向及び垂直方向における変化の大きな箇所を映像の輪郭であるして検出する。そして、この輪郭部分を強調するための信号を水平輪郭強調信号及び垂直輪郭強調信号として生成する。
【００２５】
生成された水平輪郭強調信号及び垂直輪郭強調信号は加算制御回路１１ｄを通して加算器１１ｃ元の映像信号（ビデオデータ）に加算する。これにより輪郭強調を実現することができる。
【００２６】
加算制御回路１１ｄは、制御部１４からのオンスクリーン表示位置を表す制御信号が入力されると、輪郭強調回路１１ａ、１１ｂの輪郭強調信号のうち、オンスクリーン表示位置における輪郭強調信号を除去する。なお、この除去操作に際しては前記係数ｋを例えば０に設定すればよい。
【００２７】
図３は、オンスクリーン表示を説明する図である。この図の例では、枠で囲んだ「ＥＮＨＡＮＣＥＲ  ＬＥＶＥＬ：＋２」をオンスクリーン表示として表示するものとする。ここで、図２に示す制御部１４は、オンスクリーン表示における上記表示内容が予め定められた位置に表示されるようにオンスクリーン表示信号発生回路を制御する。
【００２８】
なお、制御部１４は、オンスクリーン表示する文字や図形等の画像情報と該画像情報を表示する位置を示す表示位置情報を予め記憶している。そして、操作部１５から操作指示入力があると、該操作指示の内容に応じて、記憶した前記画像情報を前記表示位置情報に従って表示する。このとき、前記表示位置情報を、表示するオンスクリーン表示の表示位置あるいは表示範囲として特定し、特定した表示位置情報を、例えば（水平方向：ＨＡ〜ＨＢ、垂直方向：ＶＡ〜ＶＢ）あるいは（始点：ＨＡ／ＶＡ、範囲：ＨＢ−ＨＡ／ＶＢ−ＶＡ）の形式で加算制御回路１１ｄに供給する。
【００２９】
すなわち、表示位置情報は、水平方向の範囲（ＨＡからＨＢ）及び垂直方向の範囲（ＶＡからＶＢ）、あるいは水平方向ＨＡ、垂直方向ＶＡの位置を始点として、この始点から水平方向の範囲（ＨＢからＨＡ）及び垂直方向の範囲（ＶＢからＶＡ）で表すことができる。なお、ＨＡ、ＨＢは図２に示す水平有効表示範囲の開始位置０点からの時間的な距離として画素数で表すことができる。また、ＶＡ、ＶＢは、図２に示す垂直有効表示範囲の開始位置０点からの時間的な距離として走査線数で表すことができる。
【００３０】
加算制御回路１１ｄは、オンスクリーン表示の表示位置情報を制御部から取得し、輪郭強調回路１１ａ、１１ｂが出力する輪郭強調信号の加算を制御する。すなわち、オンスクリーン表示の表示範囲外では水平及び垂直の輪郭強調回路１１ａ、１１ｂから出力される輪郭強調信号を減衰させることなく加算器１１ｃ出力して、もとのビデオデータに加算することによって輪郭強調の効果を与える。一方、オンスクリーン表示の表示範囲内、特に境界部分においては水平及び垂直の輪郭強調回路から出力される輪郭強調信号の出力を禁止させることによって、加算器１１ｃにおいてはこの信号をもとのビデオデータに加算させないようにして輪郭強調の効果をなくすることができる。
【００３１】
なお、使用者が輪郭強調を強くかける等の操作を行った場合などにおいて、加算制御回路１１ｄの出力を禁止して輪郭強調の効果を全て除去すると、違和感が発生することがある。このような場合には、加算制御回路１１ｄにおいて水平及び垂直の輪郭強調回路１１ａ、１１ｂから出力されるオンスクリーン表示の表示範囲内の輪郭強調信号のレベルを減衰してから元のビデオデータに加算することも可能である。この場合、使用者は、表示装置に表示された映像を見ながら、輪郭強調のレベルを可変（前記ｋを可変）する操作をすることができる。
【００３２】
また、輪郭強調を行わない範囲、または、輪郭調整の効果を少なくする範囲をオンスクリーン表示の表示範囲内だけでなく、その境界部分の近傍となる範囲、例えば、水平方向はＨＡ−Ｘ１〜ＨＢ＋Ｘ２（Ｘｌ、Ｘ２は任意の画素数）、垂直方向はＶＡ−Ｙ１〜ＶＢ＋Ｙ２（Ｙｌ、Ｙ２は任意の走査線致）としても良い。なお、輪郭強調回路を各回路はプログラム等で実現可能である。
【００３３】
以上説明したように、本実施形態によれば、オンスクリーン表示の表示位置情報に従って加算制御回路を制御して、光ディスクから読み出した映像信号に加算する輪郭強調信号の割合を切り替えるようにしている。このため、光ディスク再生装置の状態あるいはリモコンによる操作の状態を表示する場合に、オンスクリーン表示部分が過度に強調されることを回避し、自然な輪郭強調を実現することができる。また、オンスクリーン表示周辺に不必要な輪郭強調がないため、違和感なく画質の調整を行うことが可能になる。
【図面の簡単な説明】
【００３４】
【図１】光ディスク再生装置の構成を説明する図である。
【図２】輪郭強調回路１１の詳細を説明する図である。
【図３】オンスクリーン表示を説明する図である。
【図４】従来の光ディスク再生装置の映像出力回路を説明する図である。
【符号の説明】
【００３５】
１  ターンテーブル
２  スピンドルモータ
３  サーボ制御部
４  光ピックアップ
５  ＲＦアンプ
６  信号処理部
７  オーディオデコーダ
８，１２  デジタルアナログ変換器
９  ＭＰＥＧビデオデコーダ
１０  加算器  
１１  輪郭強調回路
１１ａ  水平輪郭強調回路
１１ｂ  垂直輪郭強調回路
１１ｃ  加算器
１１ｄ  加算制御回路
１３  ＯＳＤ信号発生回路
１４  制御部
１５  操作部
１６  表示部
【図１】
2006222541.tif 000003
【図２】
2006222541.tif 000004
【図３】
2006222541.tif 000005
【図４】
2006222541.tif 000006